(57)【要約】【課題】  感材を圧着する圧着姿勢と、圧着解除した開放姿勢との間で切り換え可能な挟持ローラ対を支持する揺動部材と、揺動部材を、露光部からの感材を受け入れる受け入れ姿勢と、感材を反転させて下流側に受け渡す受け渡し姿勢との間で揺動操作する揺動操作機構とを備えた感材受け渡し装置において、露光部から感材をより確実に受け取り可能な感材受け渡し装置を提供する。【解決手段】  揺動操作機構は、揺動部材２２を回動操作する駆動モータＭ１を有し、挟持ローラ対は、揺動部材に固定された軸芯回りで回転可能な固定ローラ２３と、固定ローラに対して圧着姿勢と開放姿勢との間で変位可能な圧着ローラ２４とを有し、圧着ローラは、圧着ローラを変位操作する操作部材２７と、操作部材の一部２８と接当するカム面を有する圧着操作カム３０と、圧着操作カムを回動操作する駆動モータＭ２とを有する。【選択図】        図５
2005060012.tif 000002
【特許請求の範囲】
【請求項１】
感材を圧着挟持するための圧着姿勢と、圧着解除した開放姿勢との間で切り換え可能な第１挟持ローラ対を支持する揺動部材と、前記揺動部材を、露光部から供給される前記感材を受け入れるための受け入れ姿勢と、前記感材を反転させた上で下流側に受け渡すための受け渡し姿勢との間で揺動操作する揺動操作機構とを備えた感材受け渡し装置であって、
前記揺動操作機構は、前記揺動部材を回動操作するための第１駆動モータを有し、
前記第１挟持ローラ対は、前記揺動部材に第１軸芯回りで回転可能に支持された固定ローラと、前記固定ローラに対して前記圧着姿勢と前記開放姿勢との間で変位可能な圧着ローラとからなり、
前記圧着ローラを前記固定ローラに対して変位操作するための操作部材と、前記操作部材の一部が押し付けられたカム面を有する圧着操作カムと、前記圧着操作カムを回動操作するための第２駆動モータとが設けられている感材受け渡し装置。
【請求項２】
前記揺動部材と前記圧着操作カムとはいずれも前記第１軸芯回りで回動操作されるように構成されている請求項１に記載の感材受け渡し装置。
【請求項３】
前記圧着操作カムの前記カム面には、前記圧着ローラを前記圧着姿勢に保持するための小径の圧着用カム面と、前記圧着ローラを前記開放姿勢に保持するために前記圧着用カム面よりも大径に形成された開放用カム面とが連続的に設けられており、前記圧着用カム面は少なくとも９０°の角度範囲を有する請求項２に記載の感材受け渡し装置。
【請求項４】
前記固定ローラを回転駆動する第３駆動モータが設けられている請求項１から３のいずれか一項に記載の感材受け渡し装置。
【請求項５】
前記揺動部材の揺動操作によって反転された前記感材を前記第１挟持ローラ対から受け取り、下流側に搬送する搬送ユニットが設けられており、前記搬送ユニットは、前記感材を圧着挟持する第２挟持ローラ対を備えた移動部材と、前記移動部材を、前記第２挟持ローラ対が前記感材を前記揺動部材の前記第１挟持ローラ対から受け取るために前記揺動部材と隣接した受け取り位置と、前記第２挟持ローラ対に圧着挟持された前記感材を現像処理部に引き渡す引き渡し位置との間で往復搬送する搬送機構と有し、
前記受け取り位置において、前記固定ローラを回転駆動するための駆動力を前記移動部材の前記第２挟持ローラ対に伝達するための回転伝達機構が、前記揺動部材と前記移動部材の間に設けられている請求項１から４のいずれか一項に記載の感材受け渡し装置。
【請求項６】
前記揺動部材の前記第１挟持ローラ対から前記感材を受け取った前記移動部材は、前記揺動部材の前記第１挟持ローラ対が前記開放姿勢に切り換えられた後に、前記受け取り位置から前記引き渡し位置に向かって移動開始するように構成されている請求項５に記載の感材受け渡し装置。
【発明の詳細な説明】
【技術分野】
【０００１】
本発明は、感材を圧着挟持するための圧着姿勢と、圧着解除した開放姿勢との間で切り換え可能な第１挟持ローラ対を支持する揺動部材と、前記揺動部材を、露光部から供給される前記感材を受け入れるための受け入れ姿勢と、前記感材を反転させた上で下流側に受け渡すための受け渡し姿勢との間で揺動操作する揺動操作機構とを備えた感材受け渡し装置に関するものである。
【背景技術】
【０００２】
この種の感材受け渡し装置としては、本発明に関連する先行技術文献情報として下記に示す特許文献１がある。この特許文献１に記された感材受け渡し装置は、垂直に配置された保持プレートと、この保持プレートの左右の辺に上下方向に往復移動可能に支持された一対の搬送体とを有し、この搬送体には横向きに往復移動可能な移動体が支持されている。この移動体に対して、感材の幅方向に沿った軸芯回りで揺動可能に支持された揺動部材に、感材受け入れのための間隙を間に形成した解除姿勢と感材を圧着する圧着姿勢との間で切り換え可能な互いに対向するチャッキングローラが設けられている。
露光部から感材が排出される排出レベルまで搬送体が下降すると、揺動部材は、保持プレートに対して固定された接当操作部材との接当に基づいて揺動操作されることで、チャッキングローラ対が横向きに並ぶ「水平姿勢」からチャッキングローラ対が上下に並ぶ「受け入れ姿勢」に約９０°だけ角度姿勢が切り換えられ、同時に、切換えモータとカムによって上方に移動操作される切換え板によってチャッキングローラは解除姿勢に切り換えられる。この状態で、チャッキングローラの間に、露光部から乳剤面が上を向いた水平な姿勢で送り出された感材（感材は幅方向に関して保持プレートの中央部に送り出される）が受け入れられると、切換え板の下降によってチャッキングローラは圧着姿勢に切り換えられ、引き続き、搬送体は現像処理部の導入ローラに向かって上昇させられる。この上昇の途中で揺動部材は接当操作部材との接当状態から解放されるため、コイルバネの付勢力に基づいて、前記「水平姿勢」に揺動操作される。すなわち、この揺動操作によって、チャッキングローラに挟持されている感材は表裏を入れ換えられ、乳剤面が保持プレートに面した垂直な姿勢になって、現像処理部の導入ローラに受け渡される。また、例えば左側の搬送体の導入ローラに向かって上昇中に、チャッキングローラを含む移動体の全体を搬送体に対して左向きに移動操作してから導入ローラに手渡し、次に、右側の搬送体によって感材を露光部から受け取らせ、今度は右向きに移動させながら上昇させて導入ローラに手渡す、という動作を交互に行わせることにより、感材が左右２列に並んだ状態で現像処理部内を進行する振り分け操作が行われる。そのために、左右の移動体とチャッキングローラとは、各搬送体から保持プレートの中央寄りに延びた片持ち構造となっている。
すなわち、この従来技術の感材受け渡し装置では、露光部から横向き姿勢で排出された感材を、約９０°反転させられた縦向き姿勢に姿勢変更した上で現像処理部の導入ローラに受け渡しすることで、感材の表裏を入れ換えた状態でしかもスムースに受け渡しできると同時に、少なくとも感材が比較的幅の小さなＬ版などの場合、感材を左右２列に並んだ状態（実際には左右の感材の間に進行方向のずれを生じた千鳥状の並列状態になる）で現像処理部に挿入できる（尚、この振り分け操作は現像処理部での処理能力を高めるために行われる）。
【特許文献１】特開２００２−５５４００号公報（段落番号００１９〜００２１、００２３、００２７、００２９〜００３３、００３５、図３〜図９）。
【発明の開示】
【発明が解決しようとする課題】
【０００３】
しかし、特許文献１の感材受け渡し装置には、前述したように、横向き姿勢の感材を縦向き姿勢に姿勢変更するために行われる揺動部材の揺動操作が、保持プレートに対して固定された接当操作部材との接当に基づいて行われる構成であるため、搬送体が下降する時に揺動部材が接当操作部材との接当によってスムースに揺動操作され、且つ、揺動操作後の揺動部材（チャッキングローラ）の角度姿勢が感材の受け取りに十分適したものとなるように接当操作部材の形状や位置を微妙に調整する必要が生じて、この調整作業に困難が伴い、そのため、前記排出レベルにおける揺動部材（チャッキングローラ）の姿勢制御を十分な精度で実施することが難しく、結果的に、露光部から排出された感材のチャッキングローラへの受け渡しが確実に行われない虞があった。
【０００４】
したがって、本発明の目的は、上に例示した従来技術による感材受け渡し装置の持つ前述した欠点に鑑み、露光部から排出された感材の受け取りがより確実に行われる感材受け渡し装置を提供することにある。
【課題を解決するための手段】
【０００５】
本発明の第１の特徴は、感材を圧着挟持するための圧着姿勢と、圧着解除した開放姿勢との間で切り換え可能な第１挟持ローラ対を支持する揺動部材と、前記揺動部材を、露光部から供給される前記感材を受け入れるための受け入れ姿勢と、前記感材を反転させた上で下流側に受け渡すための受け渡し姿勢との間で揺動操作する揺動操作機構とを備えた感材受け渡し装置であって、
前記揺動操作機構は、前記揺動部材を回動操作するための第１駆動モータを有し、
前記第１挟持ローラ対は、前記揺動部材に第１軸芯回りで回転可能に支持された固定ローラと、前記固定ローラに対して前記圧着姿勢と前記開放姿勢との間で変位可能な圧着ローラとからなり、
前記圧着ローラを前記固定ローラに対して変位操作するための操作部材と、前記操作部材の一部が押し付けられたカム面を有する圧着操作カムと、前記圧着操作カムを回動操作するための第２駆動モータとが設けられていることである。
【０００６】
したがって、本発明の第１の特徴構成による感材受け渡し装置では、第１挟持ローラ対を支持する揺動部材の揺動操作と、第１挟持ローラ対の一方を構成する圧着ローラの圧着操作および圧着解除操作とを、各別の駆動モータによって行うので、各駆動モータの回転角度を制御装置によって所定の要領で制御することで、揺動部材の姿勢制御ならびに圧着ローラの圧着操作および圧着解除操作を、従来技術では不可欠の接当操作部材の形状や位置の微妙な調整を要することなく、十分な精度で実施でき、結果的に、露光部から排出された感材の第１挟持ローラ対への受け渡しを確実に行うことが可能になった。
【０００７】
本発明の第２の特徴は、前記揺動部材と前記圧着操作カムとはいずれも前記第１軸芯回りで回動操作されるように構成されていることである。
【０００８】
したがって、本発明の第２の特徴構成による感材受け渡し装置では、揺動部材を第１駆動モータによって回動操作する際に、操作部材の前記一部は、中心が固定された圧着操作カムの周面上を移動することになるので、圧着操作カムの回転角度を適当に制御する（カム面の形状によっては圧着操作カムを回転させる必要がない）ことで、例えば、圧着ローラを圧着姿勢に保持したままで揺動部材を回動させる操作等が、比較的単純な形状のカム面を持った圧着操作カムによって容易にできる。
【０００９】
本発明の第３の特徴は、前記圧着操作カムの前記カム面には、前記圧着ローラを前記圧着姿勢に保持するための小径の圧着用カム面と、前記圧着ローラを前記開放姿勢に保持するために前記圧着用カム面よりも大径に形成された開放用カム面とが連続的に設けられており、前記圧着用カム面は少なくとも９０°の角度範囲を有することである。
【００１０】
したがって、本発明の第３の特徴構成による感材受け渡し装置では、第１駆動モータによる揺動部材の９０°に渡る回動操作の開始時点から終了時点まで、圧着操作カムを回転させることなく、圧着ローラの操作部材の前記一部を圧着用カム面の範囲内に留めることが可能になるので、圧着ローラを圧着姿勢に保持したままで揺動部材を少なくとも９０°回動させる操作が、圧着操作カムを回転させることなく可能になる。この９０°という角度は、一般的に、露光部からは露光済みの感材が水平向きに供給されて揺動部材の第１挟持ローラ対に受け取られ、この揺動部材を揺動操作機構によって９０°反転させた上で、感材を垂直上方向きに下流側の現像部に受け渡されることに基づいている。
【００１１】
本発明の第４の特徴は、前記固定ローラを回転駆動する第３駆動モータが設けられていることである。
【００１２】
したがって、本発明の第４の特徴構成による感材受け渡し装置では、第３駆動モータによって固定ローラを回転駆動することで、露光部から第１挟持ローラ対に受け取った感材を、下流側への受け渡しに適した感材突出量になるまで揺動部材内で移動させることや、揺動部材を反転させた後で、第１挟持ローラ対に圧着挟持されている感材を下流側に送り出すことが可能になる。
【００１３】
本発明の第５の特徴は、前記揺動部材の揺動操作によって反転された前記感材を前記第１挟持ローラ対から受け取り、下流側に搬送する搬送ユニットが設けられており、前記搬送ユニットは、前記感材を圧着挟持する第２挟持ローラ対を備えた移動部材と、前記移動部材を、前記第２挟持ローラ対が前記感材を前記揺動部材の前記第１挟持ローラ対から受け取るために前記揺動部材と隣接した受け取り位置と、前記第２挟持ローラ対に圧着挟持された前記感材を現像処理部に引き渡す引き渡し位置との間で往復搬送する搬送機構と有し、
前記受け取り位置において、前記固定ローラを回転駆動するための駆動力を前記移動部材の前記第２挟持ローラ対に伝達するための回転伝達機構が、前記揺動部材と前記移動部材の間に設けられていることである。
【００１４】
したがって、本発明の第５の特徴構成による感材受け渡し装置では、揺動部材によって反転された感材を搬送ユニットによって現像処理部に手早く引き渡すことができる。また、揺動部材と搬送ユニットの移動部材の間には、固定ローラを回転駆動するための駆動力を移動部材の第２挟持ローラ対に伝達する回転伝達機構が設けられているので、揺動部材から移動部材への感材の受け渡しに際して、揺動部材の第１挟持ローラ対と移動部材の第２挟持ローラ対とを同期回転させることで、感材を円滑に手渡すことができ、同時に、固定ローラを回転駆動するための駆動モータなどの駆動力を、回転伝達機構を介して、移動部材の第２挟持ローラ対の駆動に利用できるので、第２挟持ローラ対のための専用の駆動源を設ける必要がない。
【００１５】
本発明の第６の特徴は、前記揺動部材の前記第１挟持ローラ対から前記感材を受け取った前記移動部材は、前記揺動部材の前記第１挟持ローラ対が前記開放姿勢に切り換えられた後に、前記受け取り位置から前記引き渡し位置に向かって移動開始するように構成されていることである。
【００１６】
したがって、本発明の第６の特徴構成による感材受け渡し装置では、移動部材が開放姿勢に切り換えられた第１挟持ローラ対の間から感材を抜き取って移動開始するので、感材が第１挟持ローラ対と擦れて損傷を受ける虞が抑制される。
【００１７】
本発明によるその他の特徴および利点は、以下図面を用いた実施形態の説明により明らかになるであろう。
【発明を実施するための最良の形態】
【００１８】
本発明の実施形態の一例について図面に基づいて解説する。
（写真プリント装置の概略構成）
図１は、現像済みの写真フィルムまたはデジタル記録媒体に担持された画像情報に基づいて銀塩式の写真プリントを出力する写真プリント装置の一例を示す。この写真プリント装置は画像処理部Ａとプリント処理部Ｂとを備えている。画像処理部Ａは、写真フィルム１の各画像駒の画像情報をＲ、Ｇ、Ｂの３原色に色分解し、デジタル信号化して取り込む機能の他にメモリカードやＭＯ等の記録媒体から画像データを取り込む機能をも有する。プリント処理部Ｂは、画像処理部Ａから送られる画像情報に基づいて印画紙２（感材の一例）に露光操作を行い、現像処理して写真プリントとして出力する。
【００１９】
より具体的には、画像処理部Ａは写真フィルム１の各画像駒の画像データを取り込むスキャナー３と、取り込んだ画像データに基づく画像イメージやその他の必要な情報を表示するモニター４とを備え、テーブル５の上面には各種の情報を入力するための操作卓６を備え、テーブル５の下方には汎用コンピュータからなる処理装置７を備えている。処理装置７はマイクロプロセッサ、データを記憶するメモリ、データを保存するハードディスク等を内蔵し、さらに、メモリカードやＭＯ等の記録媒体から画像データを取り込むメディアリーダ８を備えている。
【００２０】
次に、プリント処理部Ｂは、印画紙マガジンＭから供給される印画紙２に露光処理を行って送り出す露光処理部ＥＸと、この露光処理部ＥＸから送られる印画紙２の現像処理を行うための複数の現像処理槽からなる現像処理部ＤＥと、この現像処理部ＤＥで現像処理された印画紙２を乾燥して送り出す乾燥部ＤＲとを備えている。露光処理部ＥＸには、ロール状の印画紙２を収めた印画紙マガジンＭが設けられており、この印画紙マガジンＭから印画紙２を引き出し、プリントサイズに切断して水平方向に送る横搬送装置ＣＨと、この横搬送装置ＣＨからの印画紙２を水平方向（副走査方向）に送りながら主走査方向にライン露光を行う露光装置Ｅｍ（露光部の一例）と、この露光装置Ｅｍから送り出された露光済みの印画紙２を受け取って、上方に位置する現像処理部ＤＥの導入部に送る縦搬送装置ＣＶとを備えて構成されている。
【００２１】
（横搬送装置ＣＨの概略構成）
図２に示すように、横搬送装置ＣＨは、印画紙マガジンＭから引き出された印画紙２を搬送するローラ対１１と、この印画紙２を所定の送り長さに切断するカッター１２と、このカッター１２で切断された印画紙２をチャッキングして水平方向に送るチャッカー１３とを備えている。露光装置Ｅｍは、横搬送装置ＣＨのチャッカー１３によって紙面の左向きに送られる印画紙２を受け入れる搬入ローラ１５と、搬入ローラ１５がさらに紙面の左向きに送り込む印画紙２に対してレーザ光による走査露光を行う露光エンジン１６と、この露光エンジン１６の光出射部を基準にして印画紙２の搬送上手側と搬送下手側とに配置された２組の露光ローラ対１７，１８とを備えている。各露光ローラ対１７，１８は、ステッピングモータ（不図示）によって一定速度で回転駆動される固定ローラ１７と、この固定ローラ１７に対して圧着する圧着姿勢と、固定ローラ１７から離間する離間姿勢との間で個々に切換え可能な２つの圧着ローラ１８とからなる。この露光装置Ｅｍでは、２組の露光ローラ対１７，１８のうちの少なくとも一方の露光ローラ対１７，１８（上流側の組または下流側の組）で印画紙２を圧着し、予め設定された速度で副走査方向に搬送すると同時に露光エンジン１６によって主走査方向への露光を行うよう露光の処理形態が設定されている。
【００２２】
（縦搬送装置ＣＶの概略構成）
図３に示すように、縦搬送装置ＣＶ（本発明による感材受け渡し装置の一例）は、露光装置Ｅｍから露光済みの印画紙２を受け取って印画紙２の向きを反転させる反転ユニット２０と、反転ユニット２０から印画紙２を受け取り、下流側（上方）に位置する現像処理部ＤＥの導入部まで搬送する振り分け搬送ユニット５０（搬送ユニットの一例）とを有する。振り分け搬送ユニット５０は、印画紙２を基本的な搬送方向（印画紙２の送り長さに沿った方向）と交差する左右方向（図３の紙面を貫通する方向に当たる）に並んだ２列（複数列の一例）の千鳥状に振り分ける振り分け機能を有する。反転ユニット２０と振り分け搬送ユニット５０は、上下と左右に延びた概して矩形の保持プレート２１に支持されている。
【００２３】
（反転ユニット２０の構成）
図３、図４及び図５に示すように、反転ユニット２０は、保持プレート２１に対して印画紙２の幅方向と平行な横向きの軸芯Ｘ1周りで回動可能に支持された反転ケース部材２２（揺動部材の一例）を有する。具体的には反転ケース部材２２は後述する出力軸３９に支持されている。図４に示すように、反転ケース部材２２は、反転ケース部材２２の一側面（露光装置Ｅｍから見て左側面）に固着されたタイミングプーリＰ１と、ステッピングモータからなる揺動モータＭ１（第１駆動モータの一例）と、タイミングプーリＰ１と揺動モータＭ１の出力軸との間に掛け渡されたタイミングベルトＢ１とによって揺動操作される（タイミングプーリＰ１とタイミングベルトＢ１と揺動モータＭ１とはいずれも揺動操作機構の一例）。反転ケース部材２２には、露光装置Ｅｍから供給される露光済みの印画紙２を受け取って挟持する第１挟持ローラ対２３，２４（第１挟持ローラ対の一例）がいずれも回転可能に支持されている。第１挟持ローラ対２３，２４は、ステッピングモータからなる送りモータＭ３（第３駆動モータの一例）とタイミングベルトＢ３などによって軸芯Ｘ1（第１軸芯の一例）周りで回転駆動される駆動ローラ２３（固定ローラの一例）と、駆動ローラ２３に対して圧着された圧着姿勢と駆動ローラ２３から離間した開放姿勢との間で切り換え可能に設けられた従動ローラ２４（圧着ローラの一例）とからなる。従動ローラ２４は、軸芯Ｘ1と平行な軸芯Ｘ２周りで揺動可能な揺動ブラケット２５に支持されている。揺動ブラケット２５の基端側には、軸芯Ｘ２と軸芯を共有する操作ロッド２６が固定されており、操作ロッド２６の一端は反転ケース部材２２から（同じく露光装置Ｅｍから見て）左外方に突出しており、この突出した操作ロッド２６の端部からは、揺動ブラケット２５と平行に操作アーム２７（操作部材の一例）が延びている。操作アーム２７の遊端には遊転コロ２８（操作部材の一部の一例）が支持されている。また、保持プレート２１には、ステッピングモータからなる圧着モータＭ２（第２駆動モータの一例）とタイミングベルトＢ２などによって軸芯Ｘ1周りで回動操作される圧着カム３０（圧着操作カムの一例）が設けられており、操作アーム２７は、コイルバネ２９（図７を参照）によって、遊転コロ２８が圧着カム３０のカム面に押し付けられるように常に付勢されている。
【００２４】
図７と図８に示すように、圧着カム３０のカム面は、その円周方向に沿って、最も半径の小さな小径面３０ａ（圧着用カム面の一例）と、小径面３０ａよりも径の大きな中径面３０ｂ（開放用カム面の一例）と、中径面３０ｂよりも更に径の大きな大径面３０ｃ（開放用カム面の別の例）とを有する。小径面３０ａと中径面３０ｂ、及び、中径面３０ｂと大径面３０ｃは夫々滑らかに曲率が増大する遷移部を介して隣接している。また、小径面３０ａは約１４０°の角度範囲を有し、中径面３０ｂと大径面３０ｃとはいずれも４０°〜５０°程度の角度範囲を有している。圧着カム３０の反転ケース部材２２に対する相対的な回転角度に応じて、図８（ｂ）に示すように、遊転コロ２８が小径面３０ａに支持されている時には、従動ローラ２４は駆動ローラ２３に対して圧着された「圧着姿勢」に保持される。他方、図７及び図８（ａ）に示すように、遊転コロ２８が中径面３０ｂに支持されている時には、従動ローラ２４は駆動ローラ２３から僅かに離間した「中間開放姿勢」に保持され、図８（ｄ）に示すように、遊転コロ２８が大径面３０ｃに支持されている時には、従動ローラ２４は駆動ローラ２３から更に大きく離間した「完全開放姿勢」に保持される。
また、揺動モータＭ１の回転制御に基づいて、反転ユニット２０の反転ケース部材２２は、露光装置Ｅｍから露光済みの印画紙２を受け取るために、第１挟持ローラ対２３，２４が上下に並んだ、言い換えれば、従動ローラ２４が駆動ローラ２３の真上に位置する「受け入れ姿勢」と、第１挟持ローラ対２３，２４に挟持されている印画紙２を振り分け搬送ユニット５０に受け渡すために、第１挟持ローラ対２３，２４が前後に並んだ、言い換えれば、駆動ローラ２３の真横（従動ローラ２４が駆動ローラ２３を挟んで露光装置Ｅｍの反対側に有る）に位置する「受け渡し姿勢」との間で、約９０°だけ切り換えられる。図８（ａ）と図８（ｂ）には反転ケース部材２２の「受け入れ姿勢」が、図８（ｃ）と図８（ｄ）には反転ケース部材２２の「受け渡し姿勢」が示されている。
尚、揺動ブラケット２５の先端側には、露光装置Ｅｍから送り出される露光済みの印画紙２を、第１挟持ローラ対２３，２４の間に確実に且つ円滑に案内するための受け入れ案内板２５ａが設けられている。
【００２５】
（振り分け搬送ユニット５０の構成）
図４と図５に示すように、振り分け搬送ユニット５０は、保持プレート２１の垂直な面に沿って上下に往復移動可能に支持された縦移動部材３１と、縦移動部材３１上に左右に往復移動可能に支持された横移動部材３２とを有する。
縦移動部材３１は、保持プレート２１の左右の端部付近にて上下に延びた円柱状の一対の案内ロッド３３によって直線状に案内されながら、各案内ロッド３３よりも保持プレート２１の中央側にて上下に延びた一対のタイミングベルトＢ４と、左方のタイミングベルトＢ４をタイミングプーリを介して回転駆動するステッピングモータからなる縦移動モータＭ４によって上下に往復移動操作される（タイミングベルトＢ４と縦移動モータＭ４とは搬送機構の一例）。左右のタイミングベルトＢ４どうしは、保持プレート２１の上端付近において左右に延びた連結シャフト３４によって同方向に同期駆動され、縦移動部材３１は左右のタイミングベルトＢ４の（露光装置Ｅｍから見て）手前側の一部に固定されている。このように、縦移動部材３１は、保持プレート２１の左右の一端から中央側に向けて支持された片持ち構造ではなく、左右の端部において、左右の各タイミングベルトＢ４に同時に支持された両持ち構造を備えているので、振り分け搬送ユニット５０によって挟持された印画紙２は、印画紙２の面に対する垂線回りで不用意に揺動することのない、安定した角度姿勢を維持したまま、上下に搬送される。
縦移動部材３１の左端にはステッピングモータからなる横移動モータＭ５が配置されており、他方、縦移動部材３１の中央部と右端との中間部付近にはタイミングプーリＰ２が遊転可能に支持されている。そこで、横移動部材３２は、横移動モータＭ５とタイミングプーリＰ２の間に掛け渡されたタイミングベルトＢ５の一部に連結されることで、横移動モータＭ５の正転および逆転の回転駆動に基づいて左右に移動操作される。
尚、この明細書では便宜的に露光装置Ｅｍから保持プレート２１を見た状態で、保持プレート２１の中央より右側を右方或いは右端と呼び、左側を左方或いは左端と呼ぶ。
横移動部材３２には、反転ユニット２０から上方に送り出される印画紙２を圧着挟持する第２挟持ローラ対３５，３６（第２挟持ローラ対の一例）が回転可能に支持されている。第２挟持ローラ対３５，３６は、振り分け搬送ユニット５０が反転ユニット２０と連結された時に反転ユニット２０の送りモータＭ３の駆動力によって、（後述する回転伝達機構３８を介して）回転駆動される駆動ローラ３５と、駆動ローラ３３に圧着された状態で支持された従動ローラ３６とからなる。駆動ローラ３５は、縦移動部材３１の右端に向かって延びた連結シャフト３７と一体回転するように構成されている。
【００２６】
（回転伝達機構３８の構成）
反転ユニット２０と振り分け搬送ユニット５０との間には、反転ユニット２０の送りモータＭ３の駆動力を連結シャフト３７に伝達するための回転伝達機構３８（回転伝達機構の一例）が設けられている。この回転伝達機構３８は、反転ユニット２０の右端付近に設けられた出力部３８ａと、振り分け搬送ユニット５０の縦移動部材３１の右端付近に設けられた入力部３８ｂとからなる。これらの出力部３８ａと入力部３８ｂとは、横移動部材３２の第２挟持ローラ対３５，３６の左右の中心が反転ユニット２０の第１挟持ローラ対２３，２４の左右の中心と一致する時（横移動部材３２のホームポジションと呼ぶ）にのみ、互いに連結され、反転ユニット２０の送りモータＭ３の駆動力の連結シャフト３７への伝達が可能になる。
図５と図６に示すように、伝動機構３８の出力部３８ａは、反転ユニット２０の駆動ローラ２３と一体回転する出力軸３９に固定された出力ギヤＧ１と、出力ギヤＧ１と噛合した第１中間ギヤＧ２とを有し、第１中間ギヤＧ２は、出力軸３９上に揺動可能に支持された位置決めブラケット４０の遊端側に遊転支持されている。位置決めブラケット４０は、コイルバネ４１によって位置決めブラケット４０の上端のカム部４０ａが露光装置Ｅｍ側に変位するように付勢されている。
他方、伝動機構３８の入力部３８ｂは、連結シャフト３７に固定された入力ギヤＧ４と、入力ギヤＧ４と噛合した第２中間ギヤＧ３とを有する。第２中間ギヤＧ３の基端部には接当スリーブ４２が配置されている。
図６（ａ）の矢印が示すように、横移動部材３２がホームポジションに位置する状態で振り分け搬送ユニット５０が反転ユニット２０に向かって下降接近すると、先ず、接当スリーブ４２が、位置決めブラケット４０のカム部４０ａに接当し、引き続き、接当スリーブ４２からのカム部４０ａに対する押し付け作用に基づいて、位置決めブラケット４０をコイルバネ４１の付勢力に抗して揺動させながら更に下降することで、振り分け搬送ユニット５０と反転ユニット２０の間の衝撃的な衝突がコイルバネ４１の付勢力によって緩和された状態で、最終的に図６（ｂ）が示すように、第１中間ギヤＧ２と第２中間ギヤＧ３との間の噛合状態が達成される。また、この噛合状態が得られる際に、第１中間ギヤＧ２と第２中間ギヤＧ３との間で双方の歯の先端どうしが正面から衝突することのないように、第１中間ギヤＧ２と第２中間ギヤＧ３とは、図６の左右方向に変位配置されている。
上記の噛合状態が保持されている間は、反転ユニット２０の送りモータＭ３の駆動力は、反転ユニット２０の駆動ローラ２３、出力軸３９、出力ギヤＧ１、第１中間ギヤＧ２、第２中間ギヤＧ３、入力ギヤＧ４、連結シャフト３７の順に伝達され、連結シャフト３７と一体回転する駆動ローラ３５に伝えられる。これによって、反転ユニット２０の駆動ローラ２３と振り分け搬送ユニット５０の駆動ローラ３５とは、互いに同一方向に同期回転する。
【００２７】
（縦搬送装置ＣＶに対する制御形態）
縦搬送装置ＣＶは一例として以下の要領で制御される。
〈１−１〉先ず、露光装置Ｅｍから露光済みの印画紙２が供給される際には、予め、振り分け搬送ユニット５０は現像処理部ＤＥの導入部に近接したホームポジション（不図示）に配置され、図８（ａ）に示すように、反転ユニット２０の反転ケース部材２２は、第１挟持ローラ対２３，２４が上下に並んだ「受け入れ姿勢」を取っており、且つ、第１挟持ローラ対２３，２４の従動ローラ２４は、駆動ローラ２３から僅かに離間した「中間開放姿勢」に保持されている。すなわち、遊転コロ２８は圧着カム３０の中径面３０ｂに支持されている。この状態で、露光装置Ｅｍから供給される露光済みの印画紙２の先端が、第１挟持ローラ対２３，２４の間に送り込まれる。この「中間開放姿勢」は、露光装置Ｅｍから供給される印画紙２が、駆動ローラ２３と従動ローラ２４との間でばたつくことなく、第１挟持ローラ対２３，２４の間に円滑に送り込まれるように、ローラ間の開き寸法が設定されている。尚、印画紙２は露光装置Ｅｍから乳剤面を上に向けたほぼ水平な姿勢で送られて来る。
【００２８】
〈１−２〉次に、印画紙２の後端が露光装置Ｅｍの露光エンジン１６による露光を受け終え、未だ下流側の露光ローラ対１７，１８によって挟持されている間に、図８（ｂ）に示すように、反転ユニット２０を「受け入れ姿勢」に保持したままで、第１挟持ローラ対２３，２４の駆動ローラ２３を下流側の露光ローラ対１７，１８と同じ周速度で回転駆動開始し、同時に、従動ローラ２４を「圧着姿勢」に切り換える。従動ローラ２４の「圧着姿勢」への切り換えは、圧着モータＭ２の回転駆動によって圧着カム３０を（保持プレート２１の左端から見て）反時計回りに約２４０°回転させることで実現され、これによって遊転コロ２８は圧着カム３０の小径面３０ａ（但し、小径面３０ａの中でも最も大径面３０ｃに近接した位置）に支持される。
【００２９】
〈１−３〉印画紙２の後端が下流側の露光ローラ対１７，１８から抜け出し、反転ユニット２０の第１挟持ローラ対２３，２４のみによる搬送によって、印画紙２の後端の揺動ブラケット２５の受け入れ案内板２５ａからの突出量が所定の値になった時点で、駆動ローラ２３の回転を停止し、引き続き、図８（ｃ）に示すように、従動ローラ２４を「圧着姿勢」に維持したままで、反転ケース部材２２を第１挟持ローラ対２３，２４が前後に並んだ「受け渡し姿勢」に切り換える。この切り換え操作によって、第１挟持ローラ対２３，２４に挟持されている印画紙２は、乳剤面を現像処理部ＤＥの導入部の方向に向けたほぼ垂直な姿勢となる。この「受け渡し姿勢」への切り換え操作は、圧着カム３０は停止したまま、揺動モータＭ１によって反転ケース部材２２を（保持プレート２１の左端から見て）反時計方向に９０°回転させるだけで実現できる。これは、反転ケース部材２２の回転に基づいて、遊転コロ２８も圧着カム３０の周面上を移動するが、図８（ｃ）から理解されるように、反転ケース部材２２が９０°回転操作されても、（小径面３０ａは約１４０°の角度範囲を有するため）遊転コロ２８は相変わらず圧着カム３０の小径面３０ａの範囲内に維持されるからである。従って、この圧着カム３０のカム面構成により、従動ローラ２４は「圧着姿勢」に維持したままで、反転ケース部材２２を「受け渡し姿勢」に切り換える操作を、圧着カム３０を停止したまま実施できる。
尚、印画紙２の後端の受け入れ案内板２５ａからの突出量を前記所定の値に設定する操作は、受け入れ案内板２５ａ付近に設けた非接触式のセンサによる印画紙２の先端の検出信号に基づいて実施することもできるし、或いは、露光装置Ｅｍで印画紙２を露光する際に用いたデータに基づいて前記突出量を制御することも可能である。
【００３０】
〈１−４〉反転ケース部材２２が「受け渡し姿勢」に切り換えられるのとほぼ同時に、図８（ｃ）に途中経過を示すように、振り分け搬送ユニット５０が縦移動モータＭ４によって下降操作され、反転ユニット２０と近接配置される（受け取り位置の一例）。振り分け搬送ユニット５０のホームポジションにおいて横移動部材３２が左右の一方に変位している場合には、振り分け搬送ユニット５０の下降操作は、その横移動部材３２を横移動モータＭ５によって保持プレート２１に対してセンタリングしながら行われる。この近接に基づいて、反転ユニット２０の第１中間ギヤＧ２と振り分け搬送ユニット５０の第２中間ギヤＧ３との間の噛合状態が達成されると、引き続き、送りモータＭ３が回転駆動されることで、反転ユニット２０の駆動ローラ２３と振り分け搬送ユニット５０の駆動ローラ３５とが同一方向に同期回転し、印画紙２は反転ユニット２０から振り分け搬送ユニット５０に向かって上方に移動開始する。
【００３１】
〈１−５〉反転ユニット２０の駆動ローラ２３と振り分け搬送ユニット５０の駆動ローラ３５との同期回転に基づいて、印画紙２の上端が振り分け搬送ユニット５０の第２挟持ローラ対３５，３６に挟持され、印画紙２の上端が振り分け搬送ユニット５０から上方に所定の長さだけ突出した状態になると、送りモータＭ３の回転駆動を停止し、引き続き、図７（ｅ）に示すように、反転ユニット２０の従動ローラ２４を「完全開放姿勢」に切り換えることで、反転ユニット２０から振り分け搬送ユニット５０に印画紙２を引き渡す。この「完全開放姿勢」への切り換えは、圧着モータＭ２の回転駆動によって圧着カム３０を（保持プレート２１の左端から見て）時計回りに約２４０°回転させることで実現され、これによって図８（ｄ）に示すように、遊転コロ２８は圧着カム３０の大径面３０ｃに支持される。
【００３２】
〈１−６〉反転ユニット２０の従動ローラ２４が「完全開放姿勢」に切り換えられると、直ぐに、振り分け搬送ユニット５０の上昇操作が開始される。印画紙２がＬ版などの小サイズの場合には、現像処理部ＤＥにおいて左右２列に並んだ並列搬送が可能なので、図４の斜め向きの矢印が示すように、振り分け搬送ユニット５０は、横移動部材３２を左右の一方（図では左側）にシフトさせながら、現像処理部ＤＥの導入部に近接した位置（引き渡し位置の一例）まで上昇操作され、横移動部材３２の第２挟持ローラ対３５，３６に挟持された印画紙２は、左側の導入ローラ６０ａに受け渡される。すなわち、この場合、印画紙２は振り分け搬送ユニット５０によって、反転ユニット２０の第１挟持ローラ対２３，２４から真上向きではなく、左上方の斜め向きに比較的高速で抜き出されるが、従動ローラ２４が「完全開放姿勢」に切り換えられているので、印画紙２が第１挟持ローラ対２３，２４との摩擦によって損傷を受ける等の事態が回避される構成となっている。導入ローラ６０ａに受け渡された印画紙２は、現像処理部ＤＥの各現像処理槽を経由することで現像処理を施される。
尚、振り分け搬送ユニット５０の駆動ローラ３５は、反転ユニット２０から切り離されて以後は搬送力を持たない遊転状態になるので、振り分け搬送ユニット５０の上昇中に印画紙２が自重で第２挟持ローラ対３５，３６から抜け落ちないように、駆動ローラ３５の反転を阻止するラチェット機構が設けられている。図６に示すように、このラチェット機構は、入力ギヤＧ４の側面に一体的に形成された爪車４３と、先端が爪車４３と噛合する係止姿勢と爪車４３から抜け出た解除姿勢との間で揺動可能に横移動部材３２上に支持された爪部材４４と、爪部材４４を係止姿勢に付勢するコイルバネ４５とからなる。この爪部材４４の爪の向きは、駆動ローラ３５の反転を阻止すると同時に、常に圧着状態に保たれている圧着タイプのローラ対である第２挟持ローラ対３５，３６から導入ローラ６０ａが印画紙２を上方に抜き取る操作を許すように設定されている。
【００３３】
〈１−７〉振り分け搬送ユニット５０に挟持された印画紙２が反転ユニット２０の第１挟持ローラ対２３，２４から抜き出されると、直ぐに、駆動ローラ２３の回転駆動を停止し、再び、図８（ａ）に示すように、反転ユニット２０の反転ケース部材２２は、第１挟持ローラ対２３，２４が上下に並んだ「受け入れ姿勢」に戻され、同時に、反転ユニット２０の従動ローラ２４が「中間開放姿勢」に切り換えられる。これによって、露光装置Ｅｍから供給される次の露光済みの印画紙２を受け入れるための態勢が得られる。
この、反転ユニット２０の反転ケース部材２２を「受け渡し姿勢」から「受け入れ姿勢」に切り換え、同時に、反転ユニット２０の従動ローラ２４を「完全開放姿勢」から「中間開放姿勢」に切り換える操作は、圧着カム３０は停止したまま、揺動モータＭ１によって反転ケース部材２２を（保持プレート２１の左端から見て）時計方向に９０°回転させるだけで実現できる。すなわち、圧着カム３０を停止させた状態で、反転ケース部材２２を反時計方向に９０°回転させると、反転ユニット２０の遊転コロ２８が圧着カム３０上を転動して大径面３０ｃから中径面３０ｂへと移動するので、従動ローラ２４は「完全開放姿勢」から「中間開放姿勢」に切り換られる。従って、この圧着カム３０のカム面構成により、反転ユニット２０の反転ケース部材２２を「受け渡し姿勢」から「受け入れ姿勢」に切り換え、同時に、反転ユニット２０の従動ローラ２４を「完全開放姿勢」から「中間開放姿勢」に切り換える操作を、圧着カム３０は停止したまま実施できる。
尚、露光装置Ｅｍから供給される次の印画紙２は、先の印画紙２と同じ要領で振り分け搬送ユニット５０に手渡され、振り分け搬送ユニット５０は、今度は、印画紙を右側の導入ローラ６０ａに受け渡す（印画紙２がＬ版などの小サイズの場合）。
【００３４】
以下、同様の制御が繰り返される。但し、現像処理部ＤＥにおいて複数列に並ぶ並列搬送ができないような大サイズの印画紙２を処理する場合には、振り分け搬送ユニット５０は、反転ユニット２０の第１挟持ローラ対２３，２４から受け取った印画紙２を真上向きに搬送し、印画紙２の幅方向の中心が左右の導入ローラ６０ａの中央になるように受け渡す。
【００３５】
〔別実施形態〕
図９には、反転ユニット２０に上記の実施形態の圧着カム３０と形状の異なる圧着カム１３０を用いた例が示されている。他の構成は、操作アーム２７、遊転コロ２８、遊転コロ２８がコイルバネ２８によって圧着カム１３０のカム面に押し付けられている点も含めて、上記の第１の実施形態の縦搬送装置ＣＶと共通である。
この圧着カム１３０は、その円周方向に沿って、最も半径の小さな小径面１３０ａと、小径面１３０ａよりも径の大きな中径面１３０ｂと、中径面１３０ｂよりも更に径の大きな大径面１３０ｃとを有する。但し、中径面１３０ｂと大径面１３０ｃとが圧着カム１３０の回転軸を挟んで互いに対抗する位置に設けられており、仮に、中径面１３０ｂと大径面１３０ｃとが上下に位置するように圧着カム１３０を配置すると、互いに対向する同じ高さの２つの小径面１３０ａが左右に位置する左右対称の形状を呈している。左右の小径面１３０ａは、上方の中径面１３０ｂと、そして、下方の大径面１３０ｃと夫々滑らかに曲率が増大する遷移部を介して隣接している。また、各小径面１３０ａ、中径面１３０ｂ、大径面１３０ｃはいずれも約１０°〜１５°の角度範囲を有している。上記の実施形態と同様に、圧着カム１３０の反転ケース部材２２に対する相対的な回転角度に応じて、遊転コロ２８が小径面１３０ａに支持されている時には、従動ローラ２４は駆動ローラ２３に対して圧着された「圧着姿勢」に保持される。他方、遊転コロ２８が中径面１３０ｂに支持されている時には、従動ローラ２４は駆動ローラ２３から僅かに離間した「中間開放姿勢」に保持され、遊転コロ２８が大径面１３０ｃに支持されている時には、従動ローラ２４は駆動ローラ２３から更に大きく離間した「完全開放姿勢」に保持される。
【００３６】
以下に示すように、圧着カム１３０を備えた縦搬送装置ＣＶは一例として、第１の実施形態と若干異なる要領で制御される。
〈２−１〉先ず、露光装置Ｅｍから露光済みの印画紙２が供給される際には、予め、振り分け搬送ユニット５０は現像処理部ＤＥの導入部に近接したホームポジションに配置され、図９（ａ）に示すように、反転ユニット２０の反転ケース部材２２は、第１挟持ローラ対２３，２４が上下に並んだ「受け入れ姿勢」を取っており、さらに、第１挟持ローラ対２３，２４の従動ローラ２４は、駆動ローラ２３から僅かに離間した「中間開放姿勢」に保持されている。これは第１の実施形態と同じである。遊転コロ２８は圧着カム１３０の中径面１３０ｂに支持されている。この状態で、露光装置Ｅｍから供給される露光済みの印画紙２の先端が、第１挟持ローラ対２３，２４の間に送り込まれる。
【００３７】
〈２−２〉次に、印画紙２の後端が露光装置Ｅｍの露光エンジン１６による露光を受け終え、未だ下流側の露光ローラ対１７，１８によって挟持されている間に、図９（ｂ）に示すように、反転ユニット２０を「受け入れ姿勢」に保持したままで、第１挟持ローラ対２３，２４の駆動ローラ２３を下流側の露光ローラ対１７，１８と同じ周速度で回転駆動開始し、同時に、従動ローラ２４を「圧着姿勢」に切り換える。従動ローラ２４の「圧着姿勢」への切り換えは、圧着カム１３０を（保持プレート２１の左端から見て）反時計回りに約９０°回転させることで実現され、遊転コロ２８は圧着カム１３０の一方の小径面１３０ａに支持される。
【００３８】
〈２−３〉印画紙２の後端が下流側の露光ローラ対１７，１８から抜け出し、反転ユニット２０の第１挟持ローラ対２３，２４のみによる搬送によって、印画紙２の後端の揺動ブラケット２５の受け入れ案内板２５ａからの突出量が所定の値になった時点で、駆動ローラ２３の回転を停止し、引き続き、図９（ｃ）に示すように、従動ローラ２４は「圧着姿勢」に維持したままで、反転ケース部材２２を第１挟持ローラ対２３，２４が前後に並んだ「受け渡し姿勢」に切り換える。この切り換え操作によって、第１挟持ローラ対２３，２４に挟持されている印画紙２は、乳剤面を現像処理部ＤＥの導入部の方向に向けたほぼ垂直な姿勢となる。この「受け渡し姿勢」への切り換え操作は、圧着カム１３０を反時計回りにさらに約９０°回転させながら、同時に、揺動モータＭ１によって反転ケース部材２２を反時計方向に９０°回転させることで実現する必要がある。
【００３９】
〈２−４〉反転ケース部材２２が「受け渡し姿勢」に切り換えられるのとほぼ同時に、図８（ｄ）に示すように、振り分け搬送ユニット５０が縦移動モータＭ４によって下降操作され、反転ユニット２０と近接配置される。この近接に基づいて、反転ユニット２０の第１中間ギヤＧ２と振り分け搬送ユニット５０の第２中間ギヤＧ３との間の噛合状態が達成されると、引き続き、送りモータＭ３が回転駆動されることで、反転ユニット２０の駆動ローラ２３と振り分け搬送ユニット５０の駆動ローラ３５とが同一方向に同期回転し、印画紙２は反転ユニット２０から振り分け搬送ユニット５０に向かって上方に移動開始する。
【００４０】
〈２−５〉反転ユニット２０の駆動ローラ２３と振り分け搬送ユニット５０の駆動ローラ３５との同期回転に基づいて、印画紙２の上端が振り分け搬送ユニット５０の第２挟持ローラ対３５，３６に挟持され、印画紙２の上端が振り分け搬送ユニット５０から上方に所定の長さだけ突出した状態になると、送りモータＭ３の回転駆動を停止し、引き続き、図９（ｄ）に示すように、反転ユニット２０の従動ローラ２４を「完全開放姿勢」に切り換えることで、反転ユニット２０から振り分け搬送ユニット５０に印画紙２を引き渡す。この切り換えは、圧着カム１３０を（保持プレート２１の左端から見て）反時計回りに更に約９０°回転させることで実現され、これによって遊転コロ２８は圧着カム１３０の大径面１３０ｃに支持される。
【００４１】
〈２−６〉反転ユニット２０の従動ローラ２４が「完全開放姿勢」に切り換えられると、直ぐに、振り分け搬送ユニット５０の上昇操作が開始される。印画紙２がＬ版などの小サイズの場合には、現像処理部ＤＥにおいて左右２列に並んだ並列搬送が可能なので、図４に示すように、振り分け搬送ユニット５０は、横移動部材３２を左右の一方（図では左側）にシフトさせながら、現像処理部ＤＥの導入部に近接した位置まで上昇操作され、横移動部材３２の第２挟持ローラ対３５，３６に挟持された印画紙２は、左側の導入ローラ６０ａに受け渡される。すなわち、この場合、印画紙２は振り分け搬送ユニット５０によって、反転ユニット２０の第１挟持ローラ対２３，２４から真上向きではなく、左上方の斜め向きに比較的高速で抜き出されるが、従動ローラ２４が「完全開放姿勢」に切り換えられているので、印画紙２が第１挟持ローラ対２３，２４との摩擦によって損傷を受ける等の事態が回避される構成となっている。
【００４２】
〈２−７〉振り分け搬送ユニット５０に挟持された印画紙２が反転ユニット２０の第１挟持ローラ対２３，２４から抜き出されると、直ぐに、駆動ローラ２３の回転駆動を停止し、再び、図９（ａ）に示すように、反転ユニット２０の反転ケース部材２２は、第１挟持ローラ対２３，２４が上下に並んだ「受け入れ姿勢」に戻され、同時に、反転ユニット２０の従動ローラ２４が「中間開放姿勢」に切り換えられる（〈２−１〉の初期状態と同じ状態）。これによって、露光装置Ｅｍから供給される次の露光済みの印画紙２を受け入れるための態勢が得られる。
この、反転ユニット２０の反転ケース部材２２を「受け渡し姿勢」から「受け入れ姿勢」に切り換え、同時に、反転ユニット２０の従動ローラ２４を「完全開放姿勢」から「中間開放姿勢」に切り換える操作は、圧着カム１３０を反時計方向にさらに約９０°回転させしながら、同時に、揺動モータＭ１によって反転ケース部材２２を時計方向に９０°回転させることで実現する必要がある。
【図面の簡単な説明】
【００４３】
【図１】画像処理部Ａとプリント処理部Ｂとを備える写真プリント装置の略図
【図２】プリント処理部Ｂの横搬送装置ＣＨを示す側面図
【図３】プリント処理部Ｂの縦搬送装置ＣＶを示す側面図
【図４】プリント処理部Ｂの縦搬送装置ＣＶを示す正面図
【図５】プリント処理部Ｂの縦搬送装置ＣＶを示す斜視図
【図６】縦搬送装置ＣＶの回転伝達機構３８を示す側面図
【図７】第１挟持ローラ対２３，２４と圧着カム３０を示す説明図
【図８】圧着カム３０による従動ローラ２４の動きと反転ケース部材２２の動きとを示す説明図
【図９】別実施形態の圧着カム１３０による従動ローラ２４の動きと反転ケース部材２２の動きとを示す説明図
【符号の説明】
【００４４】
Ａ  画像処理部
Ｂ  プリント処理部
１  写真フィルム
２  印画紙（感材の一例）
Ｍ  印画紙マガジン
ＣＨ  横搬送装置
ＥＸ  露光処理部
Ｅｍ  露光装置（露光部の一例）
１６  露光エンジン
１７，１８  露光ローラ対
ＤＥ  現像処理部
ＣＶ  縦搬送装置（感材受け渡し装置）
２１  保持プレート
２０  反転ユニット
２２  反転ケース部材（揺動部材）
Ｘ1  軸芯（第１軸芯）
Ｍ１  揺動モータ（第１駆動モータ）
Ｍ４  縦移動モータ（搬送機構）
Ｍ５  横移動モータ
２３  駆動ローラ（第１挟持ローラ対、固定ローラ）
２４  従動ローラ（第１挟持ローラ対、圧着ローラ）
Ｍ３  送りモータ（第３駆動モータ）
２５  揺動ブラケット
２６  操作ロッド
２７  操作アーム（操作部材）
２８  遊転コロ（操作部材の一部）
Ｍ２  圧着モータ（第２駆動モータ）
３０  圧着カム
３０ａ  小径面（圧着用カム面）
３０ｂ  中径面（開放用カム面）
３０ｃ  大径面（開放用カム面）
３８  回転伝達機構
５０  振り分け搬送ユニット（搬送ユニット）
３１  縦移動部材
３２  横移動部材
３５  駆動ローラ（第２挟持ローラ対）
３６  従動ローラ（第２挟持ローラ対）
【図１】
2005060012.tif 000003
【図２】
2005060012.tif 000004
【図３】
2005060012.tif 000005
【図４】
2005060012.tif 000006
【図５】
2005060012.tif 000007
【図６】
2005060012.tif 000008
【図７】
2005060012.tif 000009
【図８】
2005060012.tif 000010
【図９】
2005060012.tif 000011